(57)【特許請求の範囲】
【請求項１】
親機と子機とからなり、
親機は、時計手段と、前記時計手段の現在日時を設定する日時設定手段と、接続する電話回線の種別を設定する回線種別設定手段と、当該電話装置の使用開始日時を設定する使用開始日時設定手段と、初期状態で使用開始日時の設定が未設定であることを示すデータが記憶された設定状態記憶手段と、を備え、
前記時計手段は、前記子機からの日時データの転送により現在日時を設定することが可能であり、
前記設定状態記憶手段に前記未設定を示すデータが記憶されており且つ、前記回線種別設定手段による回線種別の設定が完了した状態で、前記子機からの日時データの転送により、現在日時が最初に設定されたとき、
前記使用開始日時設定手段が、前記子機から転送された日時データを使用開始日として設定することを特徴とする電話装置。
【請求項２】
前記設定状態記憶手段に前記未設定を示すデータが記憶され、前記回線種別設定手段による回線種別の設定が完了した状態で、前記親機の時計手段が計時開始する日時が最初に設定されたとき、
前記使用開始日時設定手段は、前記親機の時計手段が計時開始する日時を使用開始日として設定することを特徴とする請求項１に記載の電話装置。
【請求項３】
前記設定状態記憶手段に前記未設定を示すデータが記憶され、前記親機の時計手段により、または、子機からの日時データの転送により現在日時が最初に設定された状態で、回線種別設定手段による回線種別の設定が行われたとき、
前記使用開始日時設定手段は、前記親機の日時設定手段により、または、子機からの日時データの転送により設定された現在日時を使用開始日として設定することを特徴とする請求項１に記載の電話装置。
【請求項４】
前記使用開始日時設定手段により使用開始日時が設定された時、前記設定状態記憶手段は、使用開始日時が設定されたことを示すデータを記憶し、
前記使用開始日時設定手段は、設定状態記憶手段に使用開始日時が設定されたことを示すデータが記憶された後は、前記使用開始日時の設定を禁止することを特徴とする請求項１ないし請求項３の何れか１項に記載の電話装置。
【発明の詳細な説明】
【技術分野】
【０００１】
本発明は、時計機能を内蔵し、ユーザの使用の開始日時を記憶することにより、保守面において活用できるようにした、コードレス電話機、ファクシミリ装置等の電話装置に関するものである。
【背景技術】
【０００２】
近年、電話装置には、時計機能が組み込まれ、現在日時の表示や、留守番電話のタイムスタンプができるようにしたものが一般的になっている。そのような電話装置において、保証書の日付に記載もれがあったり、保証書を紛失したりしても、記載装置の保証期間の確認ができるように、時計機能を利用して、装置の使用開始日時を記憶させ、必要に応じてそれを確認できるようにした電話装置が開発されている。
【０００３】
例えば、下記の特許文献１（特開平１０−１５０５１０号公報）には、使用する電話回線がダイヤル回線かプッシュ回線かを識別する回線自動識別手段が、最初に回線識別をして回線の設定を実行した際の日時データを時計回路より読み出して、使用開始日時としてメモリに記憶させるようにしたファクシミリ装置が示されている。なお、この場合、回線自動識別手段が、最初に回線設定を実行する際には、すでに時計回路の日時設定が完了している必要がある。
【０００４】
また、従来の電話装置には、時計回路の日時設定がなされている状態で、手動操作により回線設定を行った際に、使用開始日時を記憶させるようにしたものや、回線が設定されている状態で、時計回路の日時設定がなされた際に、使用開始日時を記憶させるようにしたものもある。
【０００５】
いずれにしても、このようにすれば、ユーザの使用開始日時が装置内に自動格納されるので、保証書を紛失したり日付の記載不備があったりしても、保証期間が容易に特定できる。
【特許文献１】特開平１０−１５０５１０号公報（図３、段落［００１５］、［００１６］）
【発明の開示】
【発明が解決しようとする課題】
【０００６】
しかしながら、従来の電話装置では、使用開始日時を設定する際、回線種別が設定されている状態で、親機を操作して最初に日時設定がなされた時、使用開始日時を記憶させるようにはなっているが、子機側の操作により使用開始日時を設定できるようにはなっていない。一般的にこのような電話装置が設置された時、場所が固定された親機よりは可搬できる子機により通話が行われることが多い。従って、可能であれば、子機側の操作により使用開始日時を設定可能であることが好ましい。
【０００７】
本発明は、そのような問題点に鑑み、回線種別が設定されている状態で、子機の日時情報を親機に転送して親機の時計回路の最初の日時設定を行った場合でも、その日時を実使用開始日時として親機に記憶させるようにして保証期間が容易に特定できるようにすることを目的とするものである。
【課題を解決するための手段】
【０００９】
前記課題を解決するために、本願の請求項１にかかる発明は、親機と子機とからなり、親機は、時計手段と、前記時計手段の現在日時を設定する日時設定手段と、接続する電話回線の種別を設定する回線種別設定手段と、当該電話装置の使用開始日時を設定する使用開始日時設定手段と、初期状態で使用開始日時の設定が未設定であることを示すデータが記憶された設定状態記憶手段と、を備え、前記時計手段は、前記子機からの日時データの転送により現在日時を設定することが可能であり、前記設定状態記憶手段に前記未設定を示すデータが記憶されており且つ、前記回線種別設定手段による回線種別の設定が完了した状態で、前記子機からの日時データの転送により、現在日時が最初に設定されたとき、前記使用開始日時設定手段が、前記子機から転送された日時データを使用開始日として設定することを特徴とする。
【００１０】
また、本願の請求項２にかかる発明は、請求項１にかかる電話装置において、前記設定状態記憶手段に前記未設定を示すデータが記憶され、前記回線種別設定手段による回線種別の設定が完了した状態で、前記親機の時計手段が計時開始する日時が最初に設定されたとき、前記使用開始日時設定手段は、前記親機の時計手段が計時開始する日時を使用開始日として設定することを特徴とする。
【００１１】
また、本願の請求項３にかかる発明は、請求項１にかかる電話装置において、前記設定状態記憶手段に前記未設定を示すデータが記憶され、前記親機の時計手段により、または、子機からの日時データの転送により現在日時が最初に設定された状態で、回線種別設定手段による回線種別の設定が行われたとき、前記使用開始日時設定手段は、前記親機の日時設定手段により、または、子機からの日時データの転送により設定された現在日時を使用開始日として設定することを特徴とする。
【００１２】
また、本願の請求項４にかかる発明は、請求項１ないし請求項３の何れかにかかる電話装置において、前記使用開始日時設定手段により使用開始日時が設定された時、前記設定状態記憶手段に使用開始日時が設定されたことを示すデータを記憶し、前記使用開始日時設定手段は、設定状態記憶手段に使用開始日時が設定されたことを示すデータが記憶された後は、前記使用開始日時の設定を禁止することを特徴とする。
【発明の効果】
【００１４】
本発明の電話装置は、次のような効果を奏する。すなわち、請求項１にかかる発明においては、設定状態記憶手段に使用開始日時の設定が未設定であることを示すデータが記憶され、回線種別設定手段による回線種別の設定が完了した状態で、子機からの日時データの転送により、現在日時が最初に設定されたとき、子機から転送された日時データを使用開始日として設定するようにした。その結果、回線種別が設定されている状態で、子機の日時情報を親機に転送して親機の時計回路の最初の日時設定を行った場合でも、その日時を実使用開始日時として親機に記憶させるようにして保証期間が容易に特定できる。
【００１５】
また、請求項２にかかる発明においては、請求項１にかかる電話装置において、設定状態記憶手段に使用開始日時の設定が未設定であることを示すデータが記憶され、回線種別設定手段による回線種別の設定が完了した状態で、親機の時計手段が計時開始する日時が最初に設定されたとき、前記使用開始日時設定手段は、前記親機の時計手段が計時開始する日時を使用開始日として設定するようにした。その結果、回線種別が設定されている状態で、親機の時計回路により最初の日時設定を行った場合でも、その日時を実使用開始日時として設定できるから保証期間が容易に特定できる。
【００１６】
また、請求項３にかかる発明においては、請求項１にかかる電話装置において、設定状態記憶手段に使用開始日時の設定が未設定であることを示すデータが記憶され、親機の時計手段により、または、子機からの日時データの転送により現在日時が最初に設定された状態で、回線種別設定手段による回線種別の設定が行われたとき、前記使用開始日時設定手段は、前記親機の前記日時設定手段により、または、子機からの日時データの転送により設定された現在日時を使用開始日として設定するようにした。その結果、回線種別設定手段による回線種別の設定が行われた状態で、親機の時計手段による日時データにより現
在日時が最初に設定された場合でも、その日時を実使用開始日時として設定できるから保証期間が容易に特定できる。
【００１７】
また、請求項４にかかる発明においては、請求項１ないし請求項３の何れか１項にかかる電話装置において、使用開始日時設定手段により使用開始日時が設定された時、前記設定状態記憶手段に使用開始日時が設定されたことを示すデータを記憶し、前記使用開始日時設定手段は、設定状態記憶手段に使用開始日時が設定されたことを示すデータが記憶された後は、前記使用開始日時の設定を禁止するようにした。その結果、一旦、使用開始日時が設定されたら、その後、親機及び子機から時計手段の日時設定が行われることがあっても、最初に設定された使用開始日時が確実に残される。
【発明を実施するための最良の形態】
【００１８】
以下、本発明の具体例を実施例及び図面を用いて詳細に説明する。但し、以下に示す実施例は、本発明の技術思想を具体化するための電話装置を例示するものであって、本発明をこの実施例の電話装置に特定することを意図するものではなく、特許請求の範囲に含まれるその他の実施形態の電話装置にも等しく適用し得るものである。
【実施例】
【００１９】
図１は、本発明の実施例に係る電話装置の概略構成を示すブロック図である。この実施例では、親機１がファクシミリ装置である場合で示しており、親機１は、通話用の子機２を備えている。親機１と子機２は、アンテナ１０，２０を介して無線により接続される。
【００２０】
親機１は、回線制御部１１、操作・表示部１２、回線種別設定部１３、ＦＡＸ制御部１４、無線制御部１５、使用開始日時設定部１６、時計部１７、メモリ部１８及び電源部１９を備えて構成されており、回線制御部１１は、電話回線を介して外部のファクシミリ装置や電話機と接続する。操作・表示部１２は、プッシュボタン等により電話番号の入力や各種機能の起動・停止等の操作を行い、液晶画面等に電話番号等のデータや装置の状態の表示を行う。また、時計部１７の現在日時の設定も、操作・表示部１２により行われる。
【００２１】
回線種別設定部１３は、親機１を電話回線に接続したとき、回線がダイヤル回線かプッシュ回線かを自動識別して本機の回線種別を設定する。また、操作・表示部１２の操作を受けて回線種別を設定することもできる。ＦＡＸ制御部１４は、送信画像の読み取り、読み取った画像データの圧縮、相手先から受信した画像データの伸長、伸長した画像データの印刷等、画像データの送受信に関する制御を行う。無線制御部１５は、アンテナ１０を介して子機２との間で行う無線通信の制御を行う。
【００２２】
使用開始日時設定部１６は、回線種別設定部１３による回線種別の設定が行われ、かつ、親機１の操作・表示部１２の操作により、あるいは子機２からの日時データ転送により時計部１７の日時設定が行われたとき、時計部１７が示す現在日時を使用開始日としてメモリ部１８のフラッシュメモリに記憶する。すなわち、電話装置の日時設定が設定された状態で、電話回線での発呼が可能となった日時を、使用開始日として記憶することになる。なお、使用開始日として記憶するデータは、日付と時刻の両方でもよいし日付のみでもよい。
【００２３】
また、使用開始日時設定部１６は、親機１の操作・表示部１２の操作により、あるいは子機２からの日時データ転送により時計部１７の日時設定が行われ、かつ、回線種別設定部１３による回線種別の設定が行われたとき、時計部１７が示す現在日時を使用開始日としてメモリ部１８のフラッシュメモリに記憶する。すなわち、電話装置の日時設定が設定された状態で、電話回線での発呼が可能となった日時を、使用開始日として記憶することになる。
【００２４】
時計部１７は、操作・表示部１２により、あるいは子機２からの日時データ転送を受けて日時設定がなされた後、その後の日時の経過に従って現在日時を計時する。メモリ部１８は、ＤＲＡＭとフラッシュメモリとからなっていて各種データを記憶する。電源部１９は、ＡＣアダプタから所定電圧の直流を受けて、親機の各部に電源を供給する。
【００２５】
一方、子機２は、操作・表示部２１、無線制御部２２、時計部２３、メモリ部２４、電源部２５及び充電部２６を備えて構成されており、操作・表示部２１は、プッシュボタン等により電話番号の入力等の操作を行い、液晶画面等に電話番号等の表示を行う。無線制御部２２は、アンテナ２０を介して親機１との間で行う無線通信の制御を行う。時計部２３は、現在日時を計時するが、その日時データは、親機１に転送して、親機１の時計部１７の日時設定ができる。メモリ部２４は、各種データを記憶する。電源部２５は、充電式のバッテリーを内蔵し、子機の各部に電源を供給する。充電部２６は、子機が充電台（図示せず）に載置されている間、ＡＣアダプタから与えられる所定の直流電圧により、電源部２５のバッテリーの充電を行う。
【００２６】
このような親機１と子機２とからなる電話装置では、時計部１７の日時設定が、親機１の操作・表示部１２の操作によるだけでなく、子機２からの日時データの転送によってもできるため、使用開始日時設定の管理が問題になる。例えば、親機１の操作・表示部１２の操作によって最初の日時設定を行って使用開始日時が設定された後、子機２からの日時データの転送によって日時設定を行った際に、再度使用開始日時が設定されたりしたら、実使用開始日が特定できなくなる。
【００２７】
そこで、図２に示すように、使用開始日時設定部１６は、メモリ部１８のフラッシュメモリに、使用開始日時を記憶するとともに、使用開始日時が設定済みであるか否かの使用開始日時設定状態を記憶するようにしている。その使用開始日時設定状態は、フラッシュメモリの１ビットを使い、フラグＦとして「０」と「１」で記録し、工場出荷時に（初期状態では）未設定状態を示すデータ「０」にセットされる。そして、出荷後、フラッシュメモリに最初に使用開始日時が書き込まれた時に、設定状態を示すデータ「１」にセットされ、「１」にセットされた後は、ユーザが「０」にリセットすることはできないようにしている。
【００２８】
この使用開始日時設定状態を示すフラグは、フラッシュメモリに使用開始日時を記憶させる際の条件として利用し、使用開始日時が未設定であることを示している時だけフラッシュメモリに使用開始日時を記憶させることができるようにして、一旦、使用開始日時を記憶させた後は、その書き換えができないようにしている。
【００２９】
図３は、本発明における使用開始日時の設定処理手順を示すフローチャートである。電話装置を所定の場所に設置し、電話回線に接続した状態で処理が開始される。通常は、この時、回線自動識別機能によりダイヤル回線かプッシュ回線かの回線種別が自動的に設定される。その状態で、まず、操作・表示部１２により、現在日時が入力されたか、あるいは、子機２から日時データ転送があったか否かを判別する（ステップＳ１）。現在日時が入力されるか、子機２からの転送があったら、時計部１７をその日時に設定する（ステップＳ２）。
【００３０】
それに続けて、回線種別がダイヤル回線かプッシュ回線かに設定済みであるか否かを判別する（ステップＳ３）。その結果、何らかの理由で回線自動識別機能が働かず、回線種別が設定済みでなかったとき、又は、ステップＳ１で現在日時の入力がなかったとき、改めて電話回線に接続して回線自動識別により、又は操作・表示部１２の操作により、回線種別の設定処理が行われたか否かを判別し（ステップＳ４）、回線種別の設定処理が行われたら、その回線種別を設定する（ステップＳ５）。
【００３１】
次に、時計部１７の日時が設定済みであるか否かを判別し（ステップＳ６）、設定済みであったら、又は、ステップＳ３で回線種別が設定済みであったら、使用開始日時設定状態を示すフラグＦが、未設定を示す「０」になっているか否かを判別し（ステップＳ７）、「０」でなかったら、使用開始日時は設定済みであるので、何もせずにステップＳ１に戻る。
【００３２】
一方、ステップＳ７でフラグＦが「０」になっていたら、使用開始日時は未設定であるので、時計部１７から現在日時データを取得し、使用開始日としてメモリ部１８のフラッシュメモリに書き込む（ステップＳ８）。そして、使用開始日時設定状態を示すフラグＦを「１」にセットする（ステップＳ９）。
【００３３】
尚、本実施例装置では、このような動作の後、再度ユーザの操作により現在時刻設定を行うことは可能であるが（Ｓ１〜Ｓ２ステップ）、フラグＦが一旦「１」となると、フラグの状態の変更はできないようになっている。即ち、一旦使用開始日が設定されると、現在時刻を変更することは可能であるが、使用開始日の変更は一切できないようになっている。
【図面の簡単な説明】
【００３４】
【図１】本発明の実施例に係る電話装置の概略構成を示すブロック図である。
【図２】使用開始日時設定状態と使用開始日時が記憶されている状態を示す図である。
【図３】本発明における使用開始日時の設定処理手順を示すフローチャートである。
【符号の説明】
【００３５】
１・・・・・・・親機
２・・・・・・・子機
１０，２０・・・アンテナ
１１・・・・・・回線制御部
１２，２１・・・操作・表示部
１３・・・・・・回線種別設定部
１４・・・・・・ＦＡＸ制御部
１５，２２・・・無線制御部
１６・・・・・・使用開始日時設定部
１７，２３・・・時計部
１８，２４・・・メモリ部
１９，２５・・・電源部
２６・・・・・・充電部
【図１】
0005100335.tif 000002
【図２】
0005100335.tif 000003
【図３】
0005100335.tif 000004